(57)【要約】【課題】所定の状況下において低負荷で視聴可能なコンテンツへの切り替えを行う受信装置を提供する。【解決手段】ＴＶチューナユニット１１８は、受信したデレビジョン放送データ中に緊急警報信号が存在した場合、割り込み信号をＣＰＵ１０１に供給する。また、ＥＣ／ＫＢＣ１１３は、バッテリ駆動時にバッテリの残量が所定量以下となった場合、割り込み信号をＣＰＵ１０１に供給する。そして、ＣＰＵ１０１によって実行されるＴＶアプリケーションプログラム１００は、割り込み信号がＣＰＵ１０１に供給されると、ＨＤコンテンツから１セグメントコンテンツの自動切り替えを実行する。【選択図】      図１
2007312127.tif 000002
【特許請求の範囲】
【請求項１】
デジタルテレビジョン放送データを受信する受信手段と、
前記受信手段により受信されたデジタルテレビジョン放送データの中から第１のコンテンツ用のデータを選択して再生する第１の再生手段と、
前記受信手段により受信されたデジタルテレビジョン放送データの中から第２のコンテンツ用のデータを選択して再生する第２の再生手段と、
前記第１の再生手段または前記第２の再生手段のいずれかを選択的に稼働させるための切替手段と、
を具備することを特徴とする受信装置。
【請求項２】
前記受信手段は、Ｎ＋１セグメント分の周波数帯域を用いて搬送されるデジタルテレビジョン放送データを受信し、
前記第１の再生手段は、前記デジタルテレビジョン放送データの中からＮセグメント分のデータを選択して前記第１のコンテンツを再生し、
前記第２の再生手段は、前記デジタルテレビジョン放送データの中から１セグメント分のデータを選択して、前記第１のコンテンツと同一内容で前記第１のコンテンツよりも低画質の前記第２のコンテンツを再生する、
ことを特徴とする請求項１記載の受信装置。
【請求項３】
前記切替手段は、前記受信手段により受信されたデジタルテレビジョン放送データに緊急警報信号が付加されていた場合、前記第１の再生手段から前記第２の再生手段への切り替えを実行することを特徴とする請求項１記載の受信装置。
【請求項４】
前記切替手段は、外部からの電力供給が無くなった場合、前記第１の再生手段から前記第２の再生手段への切り替えを実行することを特徴とする請求項１記載の受信装置。
【請求項５】
バッテリを具備し、
前記切替手段は、前記バッテリの残容量が予め定められた値以下となった場合、前記第１の再生手段から前記第２の再生手段への切り替えを実行することを特徴とする請求項１記載の受信装置。
【請求項６】
前記切替手段による前記第１の再生手段から前記第２の再生手段への切り替えを実行するか否かを設定する設定手段を具備することを特徴とする請求項３、４または５記載の受信装置。
【請求項７】
ＣＰＵと、
前記第１の再生手段から前記第２の再生手段への切り替えが前記切替手段によって実行された場合に、前記ＣＰＵの処理速度を低下させる制御手段と、
を具備することを特徴とする請求項１記載の受信装置。
【請求項８】
前記第１のコンテンツまたは前記第２のコンテンツを表示する表示装置と、
前記第１の再生手段から前記第２の再生手段への切り替えが前記切替手段によって実行された場合に、前記表示装置の輝度を低下させる制御手段と、
を具備することを特徴とする請求項１記載の受信装置。
【請求項９】
前記デジタルテレビジョン放送データを復号する復号手段と、
前記第１の再生手段から前記第２の再生手段への切り替えが前記切替手段によって実行された場合に、前記復号手段を停止させる制御手段と、
を具備することを特徴とする請求項１記載の受信装置。
【請求項１０】
デジタルテレビジョン放送データを受信し、
前記デジタルテレビジョン放送データの中から第１のコンテンツ用のデータを選択して再生し、
予め定められた状況となった場合、前記第１のコンテンツの再生を停止して、前記デジタルテレビジョン放送データの中から第２のコンテンツ用のデータを選択して再生する第２のコンテンツの再生を開始する、
ことを特徴とする受信装置の制御方法。
【請求項１１】
前記デジタルテレビジョン放送データに緊急警報信号が付加されていた場合、前記第１のコンテンツの再生から前記第２のコンテンツの再生に切り替えることを特徴とする請求項１０記載の受信装置の制御方法。
【請求項１２】
外部からの電力供給が無くなった場合、前記第１のコンテンツの再生から前記第２のコンテンツの再生に切り替えることを特徴とする請求項１０記載の受信装置の制御方法。
【請求項１３】
受信装置が備えるバッテリの残容量が予め定められた値以下となった場合、前記第１のコンテンツの再生から前記第２のコンテンツの再生に切り替えることを特徴とする請求項１０記載の受信装置の制御方法。
【発明の詳細な説明】
【技術分野】
【０００１】
この発明は、デジタルテレビジョン放送を視聴するＴＶ機能を有する、例えばノートブックタイプ等のバッテリ駆動可能なパーソナルコンピュータに適用して好適な制御技術に関する。
【背景技術】
【０００２】
近年、例えばノートブックタイプのパーソナルコンピュータなど、バッテリ駆動可能で携行容易な情報処理装置の高機能化が目覚ましい。最近では、デジタルテレビジョン放送データを受信可能な携帯型の情報処理装置も普及し始めており、移動中や外出先でもテレビジョン放送番組を楽しめるようになってきている。
【０００３】
携帯型の情報処理装置は、その時々で環境が著しく変化する可能性があり、デジタルテレビジョン放送データの受信状況も一定ではない。そのため、デジタルテレビジョン放送データを受信している最中における環境の変化に対応するための手法が、これまでもいくつか提案されるに至っている（例えば特許文献１等参照）。
【０００４】
この特許文献１のデジタル信号受信装置では、受信中のコンテンツの受信強度が所定値を下回ったら、このコンテンツと合致度の高い別のコンテンツを選択する。例えばスポーツ番組などであれば、チャンネル（配信元）が異なったとしても、内容的にその継続性を確保することができる。
【特許文献１】特開２００６−１３７０８号公報
【発明の開示】
【発明が解決しようとする課題】
【０００５】
ところで、最近、携帯電話機やＰＤＡ端末向けに、１セグメント放送などと称されるデジタルテレビジョン放送データの配信が開始され、注目を集めている。１セグメント放送用のデータは、通常（ＨＤ：High Difinition）のデジタルテレビジョン放送データの画質を低下させるとともに、ノイズに強い変調方式で変調するものであり、通常のデジタルテレビジョン放送データと同時に同一の周波数帯域で搬送される。１２セグメントを使用する通常のデジタルテレビジョン放送データに対し、１セグメント放送では、（画質は低下するものの）視聴のために必要なデコード等のデータ処理量を大幅に軽減される。
【０００６】
従って、例えば災害の発生時等、画質よりも省電力が重視され、少しでも長く視聴を続けたいような状況下では、通常のデジタルテレビジョン放送データを受信・視聴可能な高機能のノートブックコンピュータ等でも、あえて低画質の１セグメント放送に切り替えるといった仕組みを備えておくことが好ましい。
【０００７】
しかしながら、これまでは、いかに快適な映像を受信・視聴させ続けるかに視点が向けられており、前述したような発想は存在しなかった。
【０００８】
この発明は、このような事情を考慮してなされたものであり、所定の状況下において低負荷で視聴可能なコンテンツへの切り替えを行う受信装置および受信装置の制御方法を提供することを目的とする。
【課題を解決するための手段】
【０００９】
前述した目的を達成するために、この発明の受信装置は、デジタルテレビジョン放送データを受信する受信手段と、前記受信手段により受信されたデジタルテレビジョン放送データの中から第１のコンテンツ用のデータを選択して再生する第１の再生手段と、前記受信手段により受信されたデジタルテレビジョン放送データの中から第２のコンテンツ用のデータを選択して再生する第２の再生手段と、前記第１の再生手段または前記第２の再生手段のいずれかを選択的に稼働させるための切替手段と、を具備することを特徴とする。
【００１０】
また、この発明の受信装置の制御方法は、デジタルテレビジョン放送データを受信し、前記デジタルテレビジョン放送データの中から第１のコンテンツ用のデータを選択して再生し、予め定められた状況となった場合、前記第１のコンテンツのデコードを停止して、前記デジタルテレビジョン放送データの中から第２のコンテンツ用のデータを選択して再生する第２のコンテンツの再生を開始する、ことを特徴とする。
【発明の効果】
【００１１】
この発明によれば、所定の状況下において低負荷で視聴可能なコンテンツへの切り替えを行う受信装置および受信装置の制御方法を提供することができる。
【発明を実施するための最良の形態】
【００１２】
以下、図面を参照してこの発明の一実施形態を説明する。ここでは、本発明の受信装置は、例えばノートブックタイプのパーソナルコンピュータなどの情報処理装置として実現されている。図１には、本実施形態に係る情報処理装置のシステム構成の一例が示されている。
【００１３】
図１に示すように、本実施形態の情報処理装置は、ＣＰＵ１０１、ホストハブ１０２、主メモリ１０３、グラフィックコントローラ１０４、ＬＣＤ１０５、Ｉ／Ｏハブ１０６、ハードディスクドライブ（ＨＤＤ）１０７、サウンドコントローラ１０８、スピーカ１０９、ＤＶＤドライブ１１０、ＢＩＯＳ−ＲＯＭ１１１、ＬＰＣバス１１２、エンベデッドコントローラ／キーボードコントローラ（ＥＣ／ＫＢＣ）１１３、キーボード１１４、ポインティングデバイス１１５、電源コントローラ１１６、ＰＣＩバス１１７、ＴＶチューナユニット１１８、割り込み信号線１１９等を備えている。
【００１４】
ＣＰＵ１０１は、この情報処理装置の動作を制御するメインプロセッサである。ＣＰＵ１０１は、ＨＤＤ１０７から主メモリ１０３にロードされるオペレーティングシステムやユーティリティを含む各種プログラムを実行する。このプログラムの１つとして、後述するＴＶアプリケーションプログラム１００が存在する。
【００１５】
ホストハブ１０２は、ＣＰＵ１０１のローカルバスとＩ／Ｏハブ１０６との間を接続するブリッジデバイスである。また、ホストハブ１０２には、主メモリ１０３を制御するメモリコントローラも内蔵されている。このホストハブ１０２には、ＬＣＤ１０５を駆動制御するグラフィックコントローラ１０４が接続されている。
【００１６】
Ｉ／Ｏハブ１０６は、ＬＰＣバス１１２やＰＣＩバス１１７に接続された各種Ｉ／Ｏデバイスを制御するＩ／Ｏコントローラとして機能する。また、Ｉ／Ｏハブ１０６には、ＨＤＤ１０７およびＤＶＤドライブ１１０を制御するＩＤＥも内蔵されている。スピーカ１０９を駆動制御するサウンドコントローラ１０８およびＢＩＯＳ−ＲＯＭ１１１も、このＩ／Ｏハブ１０６によってアクセスが制御される。ＢＩＯＳ−ＲＯＭ１１１は、システムＢＩＯＳを電気的に書き換え可能に格納するフラッシュＲＯＭである。
【００１７】
ＥＣ／ＫＢＣ１１３は、この情報処理装置内の各部に対する電力供給を管理する電源コントローラ１１６との通信を行うエンベデッドコントローラと、キーボード１１４やポインティングデバイス１１５を制御するキーボードコントローラとが集積された１チップマイクロコンピュータである。この情報処理装置は、バッテリからの電力および外部電源からの電力のいずれによっても駆動可能であり、電源コントローラ１１６は、外部電源からの電力供給の有無やバッテリの残量などの電源情報をＥＣ／ＫＢＣ１１３に通知する。
【００１８】
ＴＶチューナユニット１１８は、デジタルテレビジョン放送データを受信し、復調や復号などを行ってＰＣＩバス１１７に出力する。ＴＶチューナユニット１１８によってＰＣＩバス１１７に出力されたデジタルテレビジョン放送データは、ＴＶアプリケーションプログラム１００によって取捨選択されて、選択されたコンテンツの映像はグラフィックコントローラ１０４経由でＬＣＤ１０５に出力され、一方、音声はサウンドコントローラ１０８経由でスピーカ１０９に出力される。録画時には、映像および音声の各データがＨＤＤ１０７またはＤＶＤドライブ１１０に出力される。
【００１９】
また、このＴＶチューナユニット１１８およびＥＣ／ＫＢＣ１１３には、ＣＰＵ１０１に対して割り込み信号を供給するための割り込み信号線１１９が導かれている。
【００２０】
図２は、ＴＶチューナユニット１１８のブロック図である。アンテナ２０１から入力された信号は、チューナ２０２によってＩＦ周波数に変換された後、チューナ２０２に内蔵されたＡＧＣ（Automatic Gain Control）回路により一定のレベルで出力される。デモジュレータ２０３は、アナログで入力される信号をデジタルに変換してエラー検出や訂正を実施する。このデモジュレータ２０３からは、通常の０／１で表現できるデジタルデータとして出力される。
【００２１】
デスクランブラ２０４は、デジタルデータとして施されているスクランブルを解く機能があり、入力されるデータのフラグによってデスクランブルを実施する。ＩＳＤＢ−Ｔにおいては、通常のデジタルテレビジョン放送の映像と音声のデータは、スクランブルが施され、一方、番組情報や１セグメント放送は、スクランブルが施されない。
【００２２】
ＰＣＩブリッジ２０５は、ＰＣＩのインタフェースを有し、データをＰＣＩバス１１７に出力する。制御回路２０６は、このＴＶチューナユニット１１８の動作を制御する回路であり、デモジュレータ２０３によってデジタル変換されたデータ中に緊急警報信号が存在した場合に、割り込み信号線１１９を介して割り込み信号をＣＰＵ１０１に供給する機能を有している。なお、ＥＣ／ＫＢＣ１１３は、外部電源からの電力供給がなく、バッテリからの電力で駆動している状態で、当該バッテリの残量が予め設定された値以下となった場合に、割り込み信号線１１９を介して割り込み信号をＣＰＵ１０１に供給する。
【００２３】
図３は、ＴＶチューナユニット１１８が受信するデジタルテレビジョン放送データの搬送に用いられる周波数帯を示す図である。図示のように、ＴＶチューナユニット１１８が受信するデジタルテレビジョン放送データは、１３セグメント分の周波数帯域を用いて搬送される。そして、その中の１２セグメントが通常のコンテンツ（ＨＤコンテンツ）に割り当てられ、残りの１セグメントが１セグメント放送用のコンテンツ（１セグメントコンテンツ）に割り当てられる。ＰＩＤと称される識別情報に基づき、複数のコンテンツが混在するデジタルテレビジョン放送データ中から所望のコンテンツのデータのみを選択して取得することができる。
【００２４】
ＨＤコンテンツと１セグメントコンテンツとは、同一の内容であるが、ＨＤコンテンツが１９２０×１０８０ピクセルの解像度を持つのに対し、１セグメントコンテンツは、３５２×２４０ピクセルの低い解像度しか持たない。しかしながら、低い解像度しか持たないが故に、１セグメントコンテンツは、ＨＤコンテンツと比較してデコード等のデータ処理量は大幅にされる。つまり、省電力化が図られることになる。そこで、本実施形態の情報処理装置は、この点に着目して、例えば災害の発生時やローバッテリ状態などの所定の状況下に置かれた場合、ＨＤコンテンツから１セグメントコンテンツへと自動的に切り替える仕組みを備えたものであり、以下、この点について詳述する。
【００２５】
図４は、ＴＶアプリケーションプログラム１００が表示する設定画面の一例を示す図である。
【００２６】
ＴＶアプリケーションプログラム１００が表示する設定画面には、第１に、ＨＤコンテンツから１セグメントコンテンツへと自動的に切り替える機能を有効とするかどうかを設定するためのボタンａ１が設けられる。この機能を有効とする場合には、ボタンａ１をオンにする。また、第２に、この設定画面には、ＨＤコンテンツから１セグメントコンテンツへの切り替えを、どのタイミングで行うのかを設定するためのチェックボックスａ２，ａ３が設けられる。
【００２７】
チェックボックスａ２をチェックすると、緊急警報信号を含むデジタルテレビジョン放送データがＴＶチューナユニット１１８で受信され、ＴＶチューナユニット１１８の制御回路２０６からＣＰＵ１０１に割り込み信号が供給された際、ＨＤコンテンツから１セグメントコンテンツへの切り替えがＴＶアプリケーションプログラム１００の制御下で実行される。また、チェックボックスａ３をチェックすると、バッテリ駆動時におけるバッテリ残量が設定値以下となってＥＣ／ＫＢＣ１１３からＣＰＵ１０１に割り込み信号が供給された際、ＨＤコンテンツから１セグメントコンテンツへの切り替えがＴＶアプリケーションプログラム１００の制御下で実行される。入力フィールドａ４は、基準値とするバッテリ残量をユーザが任意に設定するために設けられるものである。ここで設定されたバッテリ残量値は、ＴＶアプリケーションプログラム１００からＥＣ／ＫＢＣ１１３に転送され、ＥＣ／ＫＢＣ１１３にて保持される。
【００２８】
チェックボックスａ２，ａ３は、同時に両方ともチェックすることができる。図４の例では、ＨＤコンテンツから１セグメントコンテンツへと自動的に切り替える機能が有効に設定され、緊急警報信号受信時および（バッテリ駆動時における）ローバッテリ時のいずれの場合も当該自動切り替え機能が作動することになる。
【００２９】
ＴＶアプリケーションプログラム１００は、ＨＤコンテンツから１セグメントコンテンツへの切り替えを実施する際、ＴＶチューナユニット１１８の制御回路２０６に対し、デスクランブラ２０４の停止を指示する。前述のように、１セグメント放送はスクランブルが施されていないので、デスクランブラ２０４の稼働は無駄となる。つまり、少しでも省電力を図るための制御である。同趣旨で、ＴＶアプリケーションプログラム１００は、ＨＤコンテンツから１セグメントコンテンツへの切り替えを実施する際、データ処理量の大幅軽減化を考慮してＣＰＵ１０１の処理速度を低下させると共に、ＬＣＤ１０５のバックライトを減光またはオフにする。
【００３０】
図５は、本実施形態の情報処理装置が実行するＨＤコンテンツから１セグメントコンテンツへの自動切り替えの動作手順を示すフローチャートである。
【００３１】
ＨＤコンテンツから１セグメントコンテンツへの自動切り替え機能が有効に設定されてると（ステップＡ１のＹＥＳ）、ＴＶアプリケーションプログラム１００は、第１に、緊急警報信号受信が当該自動切り替えの条件として設定されているかを判断する（ステップＡ２）。もし、設定されていれば（ステップＡ２のＹＥＳ）、ＴＶアプリケーションプログラム１００は、ＴＶチューナユニット１１８から緊急警報信号の受信を示す割り込み信号が供給されたタイミングで（ステップＡ３のＹＥＳ）、ＨＤコンテンツから１セグメントコンテンツへの自動切り替えを実行する（ステップＡ７）。
【００３２】
また、ＴＶアプリケーションプログラム１００は、第２に、ローバッテリ状態が当該自動切り替えの条件として設定されているかを判断する（ステップＡ４）。もし、設定されていれば（ステップＡ４のＹＥＳ）、ＴＶアプリケーションプログラム１００は、ＥＣ／ＫＢＣ１１３からバッテリ駆動中であって、かつ、ローバッテリ状態である旨を示す割り込み信号が供給されたタイミングで（ステップＡ５のＹＥＳ，Ａ６のＹＥＳ）、ＨＤコンテンツから１セグメントコンテンツへの自動切り替えを実行する（ステップＡ７）。
【００３３】
このように、本実施形態の情報処理装置では、ＨＤコンテンツを視聴可能な性能を有しながらも、所定の状況下に置かれた場合、あえて低画質の１セグメントコンテンツに切り替えることで省電力化を図り、少しでも長く視聴を続けることを実現する。
【００３４】
ところで、前述の実施形態では、バッテリ駆動時にローバッテリ状態となったタイミングでＨＤコンテンツから１セグメントコンテンツへ切り替える例を説明したが、外部電源からバッテリに電力供給元が代わった時点で切り替えを行っても良い。また、緊急警報信号の受信は、デジタルテレビジョン放送データから抽出するほか、既存のいずれの方法も適用可能である。
【００３５】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３６】
【図１】本発明の実施形態に係る情報処理装置のシステム構成の一例を示す図
【図２】図２の情報処理装置が備えるＴＶチューナユニットのブロック図
【図３】図２のＴＶチューナユニットが受信するデジタルテレビジョン放送データの搬送に用いられる周波数帯を示す図
【図４】図１の情報処理装置上で動作するＴＶアプリケーションプログラムが表示する設定画面の一例を示す図
【図５】図１の情報処理装置が実行するＨＤコンテンツから１セグメントコンテンツへの自動切り替えの動作手順を示すフローチャート
【符号の説明】
【００３７】
１００…ＴＶアプリケーションプログラム、１０１…ＣＰＵ、１０２…ホストハブ、１０３…主メモリ、１０４…グラフィックコントローラ、１０５…ＬＣＤ、１０６…Ｉ／Ｏハブ、１０７…ハードディスクドライブ（ＨＤＤ）、１０８…サウンドコントローラ、１０９…スピーカ、１１０…ＤＶＤドライブ、１１１…ＢＩＯＳ−ＲＯＭ、１１２…ＬＰＣバス、１１３…エンベデッドコントローラ／キーボードコントローラ（ＥＣ／ＫＢＣ）、１１４…キーボード、１１５…ポインティングデバイス、１１６…電源コントローラ、１１７…ＰＣＩバス、１１８…ＴＶチューナユニット、１１９…割り込み信号線、２０１…アンテナ、２０２…チューナ、２０３…デモジュレータ、２０４…デスクランブラ、２０５…ＰＣＩブリッジ、２０６…制御回路。
【図１】
2007312127.tif 000003
【図２】
2007312127.tif 000004
【図３】
2007312127.tif 000005
【図４】
2007312127.tif 000006
【図５】
2007312127.tif 000007